(57)【要約】【解決手段】他の電気コネクタと嵌合することにより電力とデータを伝達する電気コネクタが開示される。電気コネクタは、嵌合部を示す絶縁コネクタハウジングを備え、嵌合部は第１面内に延びる。電気コネクタは、第１面に少なくとも部分的に垂直に延びる複数の電気コンタクトを備えるコンタクト配置をさらに備える。複数のコンタクトは、電力を伝達するように配置された１以上の第１のペアの電気コンタクトを備える。複数のコンタクトは、データを伝達するように配置された１以上の第２のペアの電気コンタクトをさらに備え、１以上の第２のペアのそれぞれは、受信コンタクトと送信コンタクトを備える。１つのペアのそれぞれの電気コンタクトは、第１面に垂直な第２面に関して、そのペアの他の電気コンタクトに対称に配置される。【選択図】図１
2019533887.tif 000002
【特許請求の範囲】
【請求項１】
他の電気コネクタと嵌合することにより電力とデータを伝達する電気コネクタであって、
嵌合部を示す絶縁コネクタハウジングであって、前記嵌合部は第１面内に延びる、絶縁コネクタハウジングと、
前記第１面に少なくとも部分的に垂直に延びる複数の電気コンタクトを備えるコンタクト配置と、を備え、
前記複数のコンタクトは、
電力を伝達するように配置された１以上の第１のペアの電気コンタクトと、
データを伝達するように配置された１以上の第２のペアの電気コンタクトと、を備え、
１以上の第２のペアのそれぞれは、受信コンタクトと送信コンタクトを備え、
１つのペアのそれぞれの電気コンタクトは、前記第１面に垂直な第２面に関して、そのペアの他の電気コンタクトに対称に配置される、電気コネクタ。
【請求項２】
電気コンタクトの各ペアは、前記第１面に少なくとも部分的に垂直に突出する第１の電気コンタクトと、前記第１面に対して凹んだ第２の電気コンタクトとを備える、請求項１に記載の電気コネクタ。
【請求項３】
前記絶縁コネクタハウジングは、前記複数の電気コンタクトを所定位置に保持し、前記絶縁コネクタハウジングは、前記コンタクト配置における前記複数の電気コンタクトのそれぞれの位置を規定する、請求項１または２に記載の電気コネクタ。
【請求項４】
前記第２面は、前記嵌合部の第１領域と第２領域を規定し、突出する前記第１領域の各位置が、凹む前記第２領域の対称の対応する位置を有するように、前記第１領域は前記第２領域に相補的である、請求項１から３のいずれかに記載の電気コネクタ。
【請求項５】
前記嵌合部は第１嵌合部であり、前記電気コネクタは第１電気コネクタであり、前記第１嵌合部は、電力とデータを伝達するために第２電気コネクタの第２嵌合部と嵌合するように配置され、前記第２電気コネクタは請求項１から４のいずれかに記載の電気コネクタである、請求項１から４のいずれかに記載の電気コネクタ。
【請求項６】
前記第１電気コネクタは、前記第２電気コネクタと実質的に同じコンタクト配置を有する、請求項５に記載の電気コネクタ。
【請求項７】
前記第１嵌合部は、前記第１電気コネクタの前記第２面が前記第２電気コネクタの対応する第２面と実質的に同一平面であるとき、前記第２嵌合部と嵌合するように配置される、請求項５または６に記載の電気コネクタ。
【請求項８】
前記複数の電気コンタクトは、１以上の第３のペアの電気コンタクトをさらに備え、前記１以上の第３のペアは、グランドコンタクトである、請求項１から７のいずれかに記載の電気コネクタ。
【請求項９】
前記第２面のそれぞれの側で、データを伝達するように配置された電気コンタクトは、グランドコンタクトと、電力を伝達するように配置された電気コンタクトとの間に位置する、請求項８に記載の電気コネクタ。
【請求項１０】
複数の磁石をさらに備え、前記複数の磁石は、第１磁石と第２磁石を備える１以上のペアに配置され、それぞれの第１磁石のＮ極は、前記第２面に関して、それぞれの第２磁石のＳ極に対称に配置される、請求項１から９のいずれかに記載の電気コネクタ。
【請求項１１】
前記複数の電気コンタクトは、実質的に直線状に配置される、請求項１から１０のいずれかに記載の電気コネクタ。
【請求項１２】
前記複数の電気コンタクトは、交互に配置された突出電気コンタクトおよび凹形電気コンタクトを備える、請求項１１に記載の電気コネクタ。
【請求項１３】
前記コンタクト配置は、実質的に直線状に、かつ、次の順、すなわちグランドコンタクト、データを伝達するように配置されたコンタクト、電力を伝達するように配置されたコンタクト、電力を伝達するように配置されたコンタクト、データを伝達するように配置されたコンタクト、グランドコンタクトの順に配置された６個の電気コンタクトを備える、請求項１から１２のいずれかに記載の電気コネクタ。
【請求項１４】
複数の電気装置を備えるシステムであって、前記複数の電気装置のうち少なくとも２つの電気装置は、それぞれ、請求項１から１３のいずれかに記載の少なくとも１つの電気コネクタを備える、システム。
【発明の詳細な説明】
【技術分野】
【０００１】
本開示は、電気コネクタに関する。より具体的には、排他的ではないが、本開示は、接続プロセスを改善および単純化する効率的な方法で他の電気コネクタと嵌合することによって電力およびデータを伝達する電気コネクタに関する。
【背景技術】
【０００２】
電気コネクタは、１つ以上の電気装置を他の装置に接続するための多種多様な目的に広く使用されている。いくつかのシステムでは、２つの電気装置を接続するために電気ケーブルが各装置のポートに差し込まれ、ケーブルは２つの装置間で電流を流す。これは、装置を接続するための確実で信頼できる方法を提供するが、ユーザがケーブルの各端部を各ポートに個別に差し込む必要があるという問題を有し、これは接続される装置の迅速な解放および再編成を妨げる。ユーザが新しい装置の接続を確立するためにケーブルを抜いて別の装置に再度差し込もうとすると、ケーブルは絡まったり邪魔になったりする可能性がある。
【０００３】
他のいくつかのシステムでは、コネクタは装置に直接取り付けられ、装置を近接させて物理的に接触させることによって接続が行われる。これによりケーブルが不要になるが、追加の問題が生じる。たとえば、２つのポートが一緒に接続されず、代わりに２つの装置コネクタ間にプラグとソケットの関係が必要であるため、装置は接続のために単純なポートを使用できなくなる。２つの装置を首尾よく接続するためにはプラグコネクタがソケットコネクタと合わなければならないという追加の要求があるので、これは装置を再配置する能力を制限する。
【０００４】
上記の問題は、モジュール式電気装置を設計するときに特に深刻である。その性質上、モジュール式装置は、モジュール式システム内の様々な他の装置と着脱する必要がある。どの装置が接続可能であるかの制限、または、各装置のどの部分が別の装置の他の部分に接続できるかについての制限は、システムのモジュール性に悪影響を及ぼす。
【０００５】
さらに、モジュール式システムのコネクタがいくつかのコンタクトを含む場合、装置およびそれらのそれぞれの向きを配置する多くの選択肢および方法を有する要望が、コネクタのどのコンタクトが対応するコネクタのそれぞれのコンタクトに接触する必要があるかに関する特定の制限と矛盾する。高いモジュール的汎用性を提供することは、動作しないか、または、コネクタおよびコネクタに取り付けられた電気部品に電気的損傷を引き起こす方法で接続するコネクタに対してどのように保護するかという問題を増大させる。
【０００６】
したがって、上記の欠点のいくつかまたはすべてを克服する電気コネクタを提供することは、既知のシステムを超える実質的な改善となるであろう。
【発明の概要】
【０００７】
他の電気コネクタと嵌合することにより電力とデータを伝達する電気コネクタが提供される。電気コネクタは、嵌合部（嵌合界面）を示す絶縁コネクタハウジングを備える。嵌合部は第１面内に延びる。電気コネクタは、第１面に少なくとも部分的に垂直に延びる複数の電気コンタクトを備えるコンタクト配置をさらに備える。複数のコンタクトは、電力を伝達するように配置された１以上の第１のペアの電気コンタクトを備える。複数のコンタクトは、データを伝達するように配置された１以上の第２のペアの電気コンタクトをさらに備える。１以上の第２のペアのそれぞれは、受信コンタクトと送信コンタクトを備える。１つのペアのそれぞれの電気コンタクトは、第１面に垂直な第２面に関して、そのペアの他の電気コンタクトに対称に配置される。
【０００８】
電気コンタクトの各ペアは、第１面に少なくとも部分的に垂直に突出する第１の電気コンタクトと、第１面に対して凹んだ第２の電気コンタクトとを備えてもよい。
【０００９】
絶縁コネクタハウジングは、複数の電気コンタクトを所定位置に保持してもよい。絶縁コネクタハウジングは、コンタクト配置における複数の電気コンタクトのそれぞれの位置を規定してもよい。
【００１０】
第２面は、嵌合部の第１領域と第２領域を規定してもよい。突出する第１領域の各位置が、凹む第２領域の対称の対応する位置を有するように、第１領域は第２領域に相補的であってもよい。
【００１１】
嵌合部は第１嵌合部であってもよく、電気コネクタは第１電気コネクタであってもよい。第１嵌合部は、電力とデータを伝達するために第２電気コネクタの第２嵌合部と嵌合するように配置されてもよい。第２電気コネクタは、以上に記載の電気コネクタであってもよい。電気コネクタは、第２電気コネクタと実質的に同じコンタクト配置を有してもよい。第１嵌合部は、第１電気コネクタの第２面が第２電気コネクタの対応する第２面と実質的に同一平面であるとき、第２嵌合部と嵌合するように配置されてもよい。
【００１２】
複数の電気コンタクトは、１以上の第３のペアの電気コンタクトをさらに備えてもよい。１以上の第３のペアは、グランドコンタクトであってもよい。第２面のそれぞれの側の上で、データを伝達するように配置された電気コンタクトは、グランドコンタクトと、電力を伝達するように配置された電気コンタクトとの間に位置してもよい。
【００１３】
電気コネクタは、複数の磁石をさらに備えてもよい。複数の磁石は、第１磁石と第２磁石を備える１以上のペアの中に配置されてもよい。それぞれの第１磁石のＮ極は、第２面に関して、それぞれの第２磁石のＳ極に対称に配置されてもよい。
【００１４】
複数の電気コンタクトは、実質的に直線状に配置されてもよい。複数の電気コンタクトは、交互に配置された突出電気コンタクトおよび凹形電気コンタクトを備えてもよい。
【００１５】
コンタクト配置は、実質的に直線状に、かつ、次の順、すなわちグランドコンタクト、データを伝達するように配置されたコンタクト、電力を伝達するように配置されたコンタクト、電力を伝達するように配置されたコンタクト、データを伝達するように配置されたコンタクト、グランドコンタクト、の順に配置された６個の電気コンタクトを備えてもよい。
【００１６】
複数の電気装置を備えるシステムも提供される。複数の電気装置のうち少なくとも２つの電気装置は、それぞれ、以上に記載の少なくとも１つの電気コネクタを備えてもよい。
【図面の簡単な説明】
【００１７】
本開示の例示的な構成を、図面を参照しながら説明する。
【図１】電子タッチパッド装置の斜視図である。
【図２】図１の電子タッチパッド装置の構成要素を示す。
【図３】図１の電子タッチパッド装置の電気コネクタの斜視図である。
【図４】図１の電子タッチパッド装置の電気コネクタの磁石の配置を示す。
【００１８】
説明および図面を通して、同様の参照番号は同様の部分を指す。
【発明を実施するための形態】
【００１９】
本開示において、例示的な電気コネクタは、音楽を電子的に生成するための電子タッチパッド装置の一部として提供される。電気コネクタは、第１のタッチパッド装置が同じ種類の電気コネクタを有する１つ以上の他の装置に「ジェンダーレス」方式で接続できるように配置されている。すなわち、１つのタイプのコネクタを第２のタイプに、すなわち第１の「性別（ジェンダー）」から第２の「性別」に接続するオス−メスコネクタ構成ではなく、本開示の電気コネクタは、１つのタイプのみを有し、したがって「ジェンダーレス」として説明される。従来のピンとソケットの関係とは対照的に、電気コネクタは実質的に同様の他の任意のコネクタに接続することができる。
【００２０】
電気コネクタのジェンダーレスの特徴は、音楽を電子的に作成するための装置のシステムにおいて特に有益である。音楽を電子的に作成するための第１の装置の例はタッチパッド装置であり、これはタッチパッドを形成するシリコーン層の下に圧力センサのアレイを有する。ユーザがタッチパッド上の特定の位置に力を加えると、シリコーン層がこの力を下層のセンサに伝達し、それが各センサの圧力値を電気信号の形で記録する。タッチパッド装置はコンピュータに接続され、その信号をコンピュータに送信し、そのコンピュータはソフトウェアを動作させて電気信号を音声信号に変換する。オーディオ信号は、ユーザの入力によって生成される特定の電子信号およびソフトウェアの設定に応じて、ピッチ、トーン、ボリューム、音色などのさまざまな特性を持つであろう。このようにして、ユーザは、広範囲の音を作り出し、これらの音を調整して音楽表現を作成することができる。
【００２１】
機能を追加するための別の装置を用いることで、音楽の作成方法を制御する可能性がさらに高まる。例えば、第２のタッチパッド装置は第１のタッチパッド装置と協働して使用されてもよく、または、複数の従来のユーザ入力ボタンを有する装置のような異なる種類の装置が使用されてもよい。第２の装置は、第１の装置の機能を変更するために使用することができ、かつ、２つの装置が互いに対して配置される方法は、生成される音楽の特性に影響を及ぼし得る。したがって、ユーザは、音楽の録音または演奏の最中に装置の配置および向きを再配置して、装置の機能を変更するか、または、新しい効果を生み出すことができる。本開示のジェンダーレスコネクタは、２つ以上の装置を切断して再接続するための確実な方法を提供することによってこれを可能にする。コネクタがジェンダーレスであるという特徴は、第２の装置の任意の個々のコネクタに接続する第１の装置の任意の個々のコネクタによって、装置が互いに接続できることを意味する。これにより、ユーザによる使いやすさが向上し、また装置が生成できる機能の数も増加する。
【００２２】
コネクタはまた、１つの装置から他の接続装置へ信号を送信することができ、その逆も可能である。したがって、これらの装置は複雑なネットワーク内に構築することができ、各装置によって生成された信号はネットワークを介して通信される。コネクタは装置間で電力を伝送することもできる。データおよび／または電力通信の特徴は、すべての装置を個別に外部電源に接続する必要がなく、または、装置によって生成された信号を処理するコンピュータに接続する必要がないので、装置の汎用性を高める。代わりに、装置がコネクタの１つを介して装置のネットワークに接続されている場合、信号と電力はネットワークの他の部分との間でやり取りできる。
【００２３】
本開示によるコネクタの別の利点は、コネクタまたは装置の内部構成要素を損傷する可能性がある方法での２つのコネクタ間の接続を防止することである。これは、コネクタの一部を構成するコンタクトの特定の配置、コンタクトのそれぞれの機能、および／または、他のコンタクトの機能に関するコンタクトの位置決めによる。
【００２４】
本開示によるコネクタの別の利点は、コネクタを介する２つの装置を接続するプロセスを案内するために、磁石がコネクタの一部として配置されうるか、または、コネクタの周囲に配置されうることである。特に、ジェンダーレスの方法で配置された磁石を有することは、装置の様々な配置を可能にする。また、コネクタがすべての側面に磁石を有するように磁石を含めることによって、２つの装置は、それらが任意の角度から接近して接続するときに、成功した接続に向けて案内されるであろう。これは、迅速で効率的な方法で接続の容易さを増加させる。
【００２５】
音楽作成用装置の概要
ジェンダーレス電気コネクタを含む、音楽を作成するための電子タッチパッド装置の特定の構造は、図１および２を参照して以下に詳細に説明される。
【００２６】
図１は、本開示による電気コネクタを含む電子タッチパッド装置１００を示す。タッチパッド装置１００は、タッチパッドの上面に対するユーザによる圧力入力の形でユーザ入力を受け、音楽を作成するために使用することができる信号を生成する。
【００２７】
タッチパッド装置１００は、変形可能層１２５によって分離されたケーシング１１０およびユーザインタフェース面１２０を含む。変形可能層１２５の下には、ユーザによってユーザインタフェース面１２０に力が加えられたときに信号を生成する圧力センサのアレイ（図示せず）がある。力は、変形可能層１２５を介してセンサのアレイに伝達される。したがって、センサにおける測定値は、ユーザインタフェース面１２０上のユーザ入力の位置だけでなく、ユーザ入力の力も検出できる。
【００２８】
ユーザインタフェース面１２５とケーシング１１０との間には、ユーザインタフェース面１２０の特定の領域をユーザに示すために点灯するＬＥＤのアレイ（図示せず）もある。例えば、ＬＥＤは、押されたときに特定の音符を生成する領域を示すために、ユーザインタフェース面１２５の下の異なる位置に異なる色を生成してもよい。ＬＥＤによって生成された光は、変形可能層１２５を通過してユーザインタフェース面１２５から出て、ユーザに見えるようになる。
【００２９】
図１に示すように、タッチパッド装置は直方体形状であり、長さおよび幅はほぼ同じであり、高さは長さおよび幅よりも小さい。有利な構成では、長さと幅は正確に同じである。例えば、高さは、長さおよび幅の約４分の１であってもよい。これは、倒れること（tumbling）または転がることなくワークトップまたは机の周りを容易に滑ることができる平板形状を作り出す。これにより、タッチパッド装置の上側のユーザインタフェース面１２５との向きが維持される。タッチパッド装置１００の側面には、他の装置、例えば第２のタッチパッド装置の他の同様のコネクタとインタフェースするように配置された１つ以上の電気コネクタ３００がある。図１によるタッチパッド装置は８個のコネクタを含み、２個がタッチパッド装置の各側面に配置されている。
【００３０】
図３に示す構成では、コネクタ３００はそれぞれ６つの電気コンタクト３１０を含む。他の構成では、コネクタは異なる数の電気コンタクトを有してもよい。各電気コンタクトが別のコネクタの対応する電気コンタクトに接続されると、コネクタは、データをやり取りし、かつ、電力を互いに伝達する。コネクタ３００は、図３においてさらに詳細に説明される。
【００３１】
タッチパッド装置１００は、様々な用途を有しうる１つ以上の機能ボタン１３０，１３１も含んでもよい。例えば、１つのボタンは、タッチパッド装置をオンまたはオフにするための電源ボタンであり得る。別のボタンは、異なる入力モードおよび／または音楽作成モードの間でタッチパッド装置の動作を切り替えるためのユーザ用のモードトグルボタンであり得る。
【００３２】
図２は、図１の電子タッチパッド装置１００の構成要素を示す。タッチパッド装置１００は、プロセッサ２１０、メモリ２２０、電源２３０、ユーザ入力インタフェース２４０、および、通信インタフェース２５０を含む。プロセッサ２１０は、データを処理し、かつ、タッチパッド装置の各構成要素を制御するための命令を実行する。プロセッサが実行する命令はメモリ２２０に格納される。メモリ２２０は、ユーザ入力に応答してセンサによって感知されたときのユーザ入力インタフェース２４０からの、または、１つ以上の機能ボタン１３０，１３１からのデータも格納する。メモリ２２０からのデータは、プロセッサ２１０による、または、外部処理装置からの要求に応じて、取り出すことができる。電源２３０は、タッチパッド装置１００の構成要素に電気エネルギーの形で電力を供給する。電源は、電気エネルギーを蓄える電池でもよく、または、外部電源に接続されてもよい。
【００３３】
ユーザ入力インタフェース２４０は、タッチパッド装置のセンサによって感知された信号の形態でユーザインタフェース表面１２５からユーザ入力を受け取る。これらの信号は、プロセッサ２１０、メモリ２２０、または、通信インタフェース２５０に送信されることができる。通信インタフェース２５０は、タッチパッド装置以外の装置との間で通信することができる。通信は、例えばＷｉＦｉ（登録商標）またはＢｌｕｅｔｏｏｔｈ（登録商標）の無線プロトコルを使用して、１つ以上のアンテナを介して電磁無線を使用することを含みうる。通信は、ＵＳＢによる、電源ソケットによる、または、１以上のコネクタ３００を介してなどの物理的接続を使用することも含みうる。通信インタフェース２５０は、例えば別のタッチパッド装置１００の通信インタフェースを介して、１つ以上のプロセッサ２１０、メモリ２２０、または、ユーザ入力インタフェース２４０から１つ以上の他の装置にデータを通信することができる。通信インタフェース２５０はまた、電源２３０との間で電力をやり取りする。通信インタフェース２５０は、主電源から、または、ＵＳＢポートを介して別の装置からなどのように、外部電源から電力を受け取ることができる。通信インタフェースはまた、コネクタ３００を介して、他の装置、例えば他のタッチパッド装置１００に関連する他のコネクタに電力を伝達する。
【００３４】
コネクタ配置
コネクタ３００の構造および機能は、図３を参照して以下に説明される。図３は、電子タッチパッド装置１００の電気コネクタを示す。
【００３５】
コネクタ３００の特定の配置は、コネクタがそれと同一または実質的に同様の他のコネクタと嵌合できるようなものである。このようにして、本開示による複数のコネクタを各側面に有するタッチパッド装置１００を回転させ、一致するコネクタを有する他の装置の任意の側面に接続することができる。さらに、これは、各装置のその面を上に向けたままで装置を表面上で動かして水平に回転させることができ、かつ、それでも任意の他の装置の任意の側面に接続できることを意味する。
【００３６】
コネクタ３００は、タッチパッド装置１００の側壁に配置されている。コネクタは、６つの電気コンタクト１Ａ−３Ａ，１Ｂ−３Ｂを有し、それらのそれぞれはケーシング１１０の内側上の配線または回路に接続されている。それぞれの電気コンタクトは、機能を有し、かつ、その機能に従ってタッチパッド装置の構成要素に接続される。電気コンタクトは図３に導電ピンとして示されている。６つのピンは、電力を伝送する２つの電源ピン１Ａ，１Ｂ、データを転送する２つの信号ピン２Ａ，２Ｂ、および、接地された２つのグランドピン３Ａ，３Ｂを含む。ピンはペアでケーシング上に配置され、各ペアの第１ピンは鏡映対称の平面Ｐの一方の側に配置され、他方のピンは第１ピンと対称な位置の平面Ｐの他方の側に配置される。図３では、３ペアのピンがあり、各ペアにＡピンとＢピンがあることがわかる。ＡピンとＢピンは鏡映対称の平面Ｐの両側に対称的に配置されている。図３に示す配置では、ピンは実質的に直線状に配置されている。これは製造効率を改善し、かつ、長さおよび幅よりも小さい高さを有する装置に含めるのに特に有利である。この場合の直線状の配置は、実質的に水平であり得る。すなわち、側壁の面を横切って左から右に向かって、ピンは、３Ａ、２Ａ、１Ａ、１Ｂ、２Ｂ、３Ｂの順である。ピンのこの直線状の配置は、装置の必要な高さを減少させ、このことは、裏返ることまたは倒れることなく、より簡単に表面を滑ることができるより低い重心を持つ装置を可能にする。
【００３７】
他の構成では、ピンは水平または直線状に配置されていなくてもよく、他の対称的なパターンで配置されてもよい。
【００３８】
各ペアのピンは、そのペアの他のピンと同じ役割をもつ。このようにして、２つの電源ピン１Ａ，１Ｂは対称の平面Ｐを挟んで対称に配置され、２つの信号ピン２Ａ，２Ｂおよび２つのグランドピン３Ａ，３Ｂに関しても同様である。したがって、上述のようなピンの配置を有する２つのコネクタが互いにピン対ピンで向かい合うとき、第１のコネクタの電源ピン、信号ピンおよびグランドピンは、それぞれ他方のコネクタの電源ピン、信号ピンおよびグランドピンと整列する。ピン間が電気的に接触すると、信号ピンはコネクタを介してデータを伝送し、電源ピンはコネクタを介して電力を伝送し、かつ、２つのコネクタは共通のグランドを共有する。
【００３９】
一般に、コネクタ３００に含まれる２つのタイプの電気コンタクトがある。第１のタイプの電気コンタクト（「タイプ１」ピン）は、同じ役割を有する別の電気コンタクトと接触すると正常に接続する。たとえば、電源ピンは別の電源ピンと正常に接続して電力を伝送し、２つの電源ピンの間に役割の違いはない。同様に、各ピンの役割を区別することなく、グランドピンが接触してグランドを共有する。第２のタイプの電気コンタクト（「タイプ２」ピン）は、異なるが相補的な役割を有する別の電気コンタクトと接触すると正常に接続する。例えば、信号ピンは、送信の役割を有する１つのピンおよび受信の役割を有する他の信号ピンと接続できる。送信信号ピンが別の送信信号ピンと接触しても、これは、データがコネクタを介して転送されないというように、まったく影響はないであろう。これは、コネクタ３００を介して通信する装置内の特定の回路要件のためであり得る。
【００４０】
図３に示す電気コンタクトの配置では、タイプ１の電気コンタクト、すなわち電源ピン１Ａ，１Ｂおよびグランドピン３Ａ，３Ｂは、ペアで配置され、各ペアのうちの１つは対称の平面Ｐの各側に配置され、両者は同じ役割を持つ。タイプ２の電気コンタクト、すなわち信号ピン２Ａ，２Ｂは、ペアで配置され、各ペアのうちの１つは対称の平面Ｐの各側に配置され、１つは第１の役割を有し、他方は第２の相補的な役割を有する。したがって、第１信号ピン２Ａは受信の役割を持ち、第２信号ピン２Ｂは送信の役割を持つ。代替構成では、第１のピン２Ａが送信ピンとなり、したがって第２の信号ピン２Ｂが受信ピンとなりうる。
【００４１】
コネクタが他のコネクタと接続し得る上記の条件に加えて、すなわち電気コンタクトの機能およびそれらのそれぞれの役割に関して、接続するためのさらなる条件が存在し得る。例えば、さらなる条件は、電気コンタクトの物理的形状が一致することであり得る。図３に見られるように、各電気コンタクトは、突出ピン３１、または、ピン凹部３３内に位置する凹形ピン３２のいずれかである。２つのコネクタが出会うと、第１のコネクタの突出ピン３１が第２のコネクタの凹形ピン３２と接触し、またその逆も同様であるように、コネクタの構造は設計される。これは、各ペアのピンの一方のピンを突出ピン３１とし、各ペアの他方のピンを凹形ピンとすることによって達成される。上述のように、各ペアの第１および第２のピンは対称の平面Ｐを挟んで対称的に配置されている。したがって、同じピン配置を有する第２のコネクタが第１のコネクタにピン対ピンで近づくと、突出ピン３１は凹形ピン３２と整列し、２つのコネクタは物理的に嵌合できる。図３のコネクタ構成は、６つのピンが凹形ピン３Ａ，１Ａ，２Ｂと突出ピン２Ａ，１Ｂ，３Ｂとの間で交互に配置されるようなものであり、それによって第２のコネクタとのより確実な係合を生み出す。
【００４２】
２つのコネクタが物理的に嵌合するとき、第１のコネクタからのピンは第２のコネクタの対応するピンと物理的に接触する。２つのコネクタは、図４に関して以下でさらに詳細に説明するように、電気コンタクトを囲む磁石の配置などの固定機構によって一緒に保持されうる。代替の固定機構は、ラッチ機構、ねじ機構、または、全ての電気コンタクトがそれらの対応する電気コンタクトと接触するように２つのコネクタを固定する任意の他の適切な手段を含む。凹形ピン３２は、例えば、金属ばねのような弾性部材を各凹形ピンの後ろに含むことによって、ばねを付けられてもよい。第２のコネクタが第１のコネクタと確実に接続された状態になると、第２のコネクタの突出ピン３１が第１のコネクタの凹形ピン３２に接触して凹形ピンを押し、各凹形ピンの後ろのばねを変形させる。２つのコネクタが定位置に確実に固定されていると、ばねは突出ピンと凹形ピンの間の強固な接触を保つ。同じ機構が、第１のコネクタの突出ピンおよび第２のコネクタの対応する凹形ピンについても存在する。これにより、コネクタ間の接続品質が向上する。代替でまたは追加で、突出ピンは、ばねを付けられてもよい。
【００４３】
いくつかの構成では、突出ピン３１、凹形ピン３２およびピン凹部３３は、すべてケーシング１１０の凹部１１５上に配置されている。これにより、コネクタを第２のコネクタにさらに容易に接続することが可能になる。これは、第２のコネクタが第１のコネクタに接近すると、突出ピン３１は直接正面を向く以外の角度から接近できるからである。これは、ピンはケーシングの凹部１１５内に配置されているので、２つのコネクタを制御するユーザは、それらをより簡単で効率的な方法で接続できるからである。突出ピン３１およびピン凹部３３がケーシングの同一平面上にある代替案では、それらの間にわずかな位置ずれがあるときに突出ピン３１がピン凹部３３に入るのを妨げられる可能性がより高い。
【００４４】
コンタクトの配置はケーシング１１０によって定位置に保持され、これはピンを互いに対して固定位置に維持する。ケーシングは、ピンを別々に保持し、かつ、ピン間が導通しないように少なくとも部分的に絶縁材料から作られる。現在説明されている構成では、ケーシング１１０がこの役割を果たすが、一般に、任意の絶縁コネクタハウジングを使用してもよい。絶縁コネクタハウジングは、タッチパッド装置１００のケーシング１１０の一体部分であってもよく、または、ピンの位置を画定するためにタッチパッド装置に取り付けられる別個の部品であってもよい。本構成のように、絶縁コネクタハウジングは、ピンが装置の内側から通過するための穴を有する単一部品であり得る。これは、他のコネクタに接続するために内部部品を装置の外部に接続する。代替の構成では、絶縁コネクタハウジングは、代わりに、１つ以上のスタンド、クリップまたは他の任意の取り付け手段を用いてピンを定位置に保持してもよい。さらに、絶縁コネクタハウジングという用語が使用されているが、ハウジングは、ピン間に導電経路が存在しない限り、絶縁性である必要があるだけである。したがって、絶縁コネクタハウジングは、ピンを互いに絶縁する条件で、プラスチックのような絶縁材料だけで作製されなくてもよい。
【００４５】
現在説明されている構成におけるケーシング１１０などの絶縁コネクタハウジングは、嵌合部を示す。嵌合部は、２つのコネクタが接続するときに第２のコネクタの別の嵌合部と嵌合するコネクタ３００の領域である。したがって、嵌合部は、コンタクト配置、たとえばピンを含みうる。嵌合部はまた、磁石配置、クリップなどのような、コネクタを他のコネクタに固定するための任意の物理的接続手段を含んでもよい。
【００４６】
一般に、嵌合部は嵌合平面内に延びる。図１の構成では、この平面は、コネクタ３００が配置されているタッチパッド装置１００の側面と実質的に同一平面上にある。図３のコネクタのピン３１，３２は、嵌合平面に対して少なくとも部分的に垂直に延びる。例えば、コネクタの各ピン３１，３２は、ケーシング１２５の面に対して少なくとも部分的に垂直に延びる。特に、各ピンの嵌合端は、それが嵌合するコネクタのピンと接触できる程度まで垂直である。他のコネクタのピンも同様に、ピンの嵌合端が互いに正面から接触するように、それぞれの嵌合部に対して垂直な嵌合端を有する。ピンは、嵌合平面に対して部分的に垂直であり、かつ、嵌合部から突出してもよい。例えば、ピンが平面の後ろにあるかまたは平面を横切らなくても、嵌合平面に対して垂直な方向に延びている場合、ピンが嵌合平面から凹んでいるが部分的に嵌合平面に対して垂直であることも可能である。それが嵌合平面に垂直な方向に別のピンと嵌合するように依然として配置されているので、ピンの端部が嵌合部と同一平面上にあり、かつ、嵌合平面に対して部分的に垂直に延びることも可能である。
【００４７】
嵌合部が延在する嵌合平面は、対称の平面Ｐに対して垂直である。これは、嵌合するために２つのコネクタが互いに向き合うとき、すなわち、それらのそれぞれの嵌合平面が実質的に平行または同一平面上にあるとき、それらの対称の平面Ｐが整列できるようにするためである。上述のように、これにより、２つのコネクタのコンタクト配置が接続することが可能になる。したがって、嵌合部は対称の平面Ｐによって２つの領域に分割される。
【００４８】
図３により示されるように、嵌合部は実質的に平面であり得る。しかし、いくつかの構成では、嵌合部は、非平面であり、嵌合平面に対して実質的に垂直に突出する位置を有し、かつ、陥没する位置を有してもよい。これらの構成では、対称の平面の一方の側で突出している嵌合部の各部分は、対称の平面の他方の側にある凹部に対応しうる。これにより、嵌合部を同一または類似の構成の別の嵌合部と物理的に嵌合させることができ、各嵌合部の凹部および突出部が整列して嵌合する。平面の反対側の部分を補完するために各部分が突出または陥没する量は、部分的にはピンに依存し、特に、嵌合部を提供するコネクタハウジングに対してピンがどの程度のクリアランスを有するかに依存する。
【００４９】
ケーシング１１０のような絶縁コネクタハウジングは上面および下面を有してもよく、上面は直方体形状の一部として下面と実質的に平行である。したがって、嵌合部は、上面と下面とに実質的に垂直に上面と下面との間に延びるケーシングの面上にあってもよい。
【００５０】
誤接続を防ぐためのコンタクト配置
電気コンタクトの配置は、誤ったコンタクト接続を防ぐようになっている。特に、それらが異なる機能の電気コンタクトに接続すると損傷を引き起こしうる特定の機能の電気コンタクトがある場合、これが発生する危険性をコンタクトの配置によって最小限にできる。例えば、コネクタが電源ピンとグランドピンの両方を含む場合、これらのピンが接触すると、短絡または極性反転を引き起こし、タッチパッド装置回路内の電気部品を損傷する可能性がある。
【００５１】
本配置は、図３のピン配置と共に説明される。しかしながら、これは決して本開示をこの特定の配置に限定するものではない。これは単なる例示として意味され、もちろん想定されるピンの多くの異なる特定の配置がある。
【００５２】
誤ったコンタクト配置が整列しうる第１の方法は、１つの装置が裏返されたときである。ピンが対称になるようにピンを配置することによって、誤った整列は回避されうる。この場合、タッチパッド装置１００が反転されて第２のタッチパッド装置と接触されても、危険な接続は行われないであろう。これは、コネクタを上下逆にしても、同じ機能のピンが整列するピン配置を保つためである。すなわち、反転されたコネクタの電源ピンは、非反転のコネクタの電源ピンと整列し、信号ピンとグランドピンも同様であろう。この向きでは、相補的な役割のペアを構成するタイプ２のピンは整列しないであろう。代わりに、反転されたコネクタの送信信号ピンは、非反転のコネクタの送信信号ピンと整列し、受信信号ピンに関しても同様であろう。したがって、２つのコネクタ間でデータ通信は行われないが、共通のグランドが維持され、依然としてコネクタはコネクタ間で電力を伝送できる。さらに、電源ピンがグランドピンに接触せず、かつ、電源の極性が維持されるため、電気的損傷を引き起こすような接続は行われない。
【００５３】
誤った接続を引き起こしうる別の状況は、２つのコネクタがオフセットのピン整列で一緒に無理に押し込まれるときである。ピンが突出部と凹部とを交互に有する６ピンの線状の配置では、「一回限りの」ピンの位置ずれは、第１のコネクタからの突出ピンが他のコネクタからの異なる機能の突出ピンに接触する原因となるであろう。例えば、図３の構成を参照すると、１つ左にずれたピンの位置ずれで第２のコネクタが第１のコネクタ３００に接近すると、第２のコネクタの突出信号ピン２Ａは第１のコネクタ３００の突出電力ピン１Ｂと接触するであろう。同様に、第２コネクタの突出電力ピン１Ｂは突出信号ピン２Ａに接触するであろう。例えば、信号ピンは、信号ピンを回路の他の部分に結合し、かつ、したがってより敏感な回路部品に電力を伝導するのではなく電力を消費する抵抗を有しうるので、これは回路への損傷を引き起こさないであろう。あるいは、信号ピンは、高い入力電力が存在するときに電力の伝送を妨げる電気装置に取り付けられてもよい。したがって、図３の構成では、グランドコンタクトへの電力がなく、かつ、電源ピンと信号ピンが接触したときに内部回路が損傷から保護されるので、１つのピンの位置ずれは、電気的損傷の危険を引き起こさない。
【００５４】
コネクタの各半分でグランドピンが電源ピンに隣接するように、図３とは異なるピン配置が選択された場合、１回限りのピンの位置ずれは、電源とグランドの短絡を引き起こし、内部回路を損傷する可能性がある。たとえば、グランドピンの位置が図３のピン２Ａおよび２Ｂの位置にあり、電源ピンが１Ａ，１Ｂのままであると、偶発的な位置ずれが電気的損傷を引き起こす可能性が高くなるであろう。したがって、信号ピンが電源ピンとグランドピンとの間に位置するようにピンを配置することによって、コネクタは、短絡または極性反転事象の可能性を低減することによって安全性を改善する。これは、コネクタを接触させる前にピンを完全に整列させる必要なしに効果的に行うことができるので、２つのコネクタを接続することの容易さを改善するという有益な効果も有する。
【００５５】
ピンが直線的に配置されていない代替の配置では、電源ピンとグランドピンは、異なる重ならない高さに配置されうる。これにより、ピンの位置ずれによる損傷から保護される。これは、２つのコネクタが平らな面にある場合、どれだけ横方向の位置ずれがあっても、電源ピンとグランドピンが接触することがないためである。
【００５６】
コネクタが誤ったピンの接触を防止することができる別の方法は、磁石を使用して２つのコネクタを磁気吸引力によって一緒に固定し、各コネクタ上の対応するピンを整列させることである。磁気固定機構は、図４に関して以下に説明される。
【００５７】
誤ったコンタクトの整列および／または接続を防止するための上記の構成のいずれも、単独で、または、誤ったコンタクトの整列および／または接続を防止するための他の構成と組み合わせて使用することができる。
【００５８】
磁気固定機構
図４は、本開示による電子タッチパッド装置の電気コネクタの磁石の配置を示す。
【００５９】
複数の磁石は、ケーシング１１０の背後に配置され、かつ、同じ磁石の配置を有する第２のコネクタが向かい合って近づくときに磁石が２つのコネクタ間に力を生み出すように配置される。磁力が２つのコネクタを一緒に引き付けるので、それらはそれぞれのピンが互いに接触してしっかりと保持される。磁力はまた、第１のコネクタのピンが第２のコネクタのそれらの対応するピンと直接整列するように２つのコネクタを整列させる。
【００６０】
磁石を有するコネクタをジェンダーレスにするために、第１のコネクタ内の各磁石のＮ極が第２の導体内の磁石のＳ極に面するように磁石を配置することができる。これは、コネクタ３００の磁石を、鏡映対称の平面Ｐを挟んで対称に配置されたペアに配置することによって行われる。各ペアの一方の磁石はコネクタから外側に向いたＮ極を有し、各ペアの他方の磁石はコネクタから外側に向いたＳ極を有する。図４に示すように、磁石１１ＡのＮ極は、磁石１１ＢのＳ極から平面Ｐを挟んで対称に配置されている。各磁石は、そのペアに対して対称的に、かつ、どの極性がコネクタから外側に向いているかに関して相補的な意味で配置されている。図４では、Ｎ極は斜線で塗りつぶされて示され、Ｓ極は塗りつぶしパターンなしで示されている。
【００６１】
第１のコネクタと同じ磁石配置を有する第２のコネクタが接近すると、磁石は向かい合う各コネクタに力を加える。コネクタの位置がずれていると、各コネクタの磁石のＮ極が互いに反発し、同様にＳ極も反発して、コネクタがそれ以上近づいて接続するのを防ぐ。あるいは、コネクタが概ね整列している場合、第１のコネクタからのＮ極が第２のコネクタからのＳ極に向き合い、逆もまた同じであり、各コネクタの磁石は互いに引き付けられ、一緒に引っ張られ、正しいピンの整列で正しい位置に固定される。２つのコネクタを正しいピンの整列で一緒に固定するためにこの磁石の配置を使用することは、電気コンタクトのペアが対称である同じ対称の平面Ｐが、磁石が対称である対称の平面Ｐと同じであるために起こる。
【００６２】
図４に示すようにコネクタの磁石を対称の相補的なペアで配置することは、一方のコネクタが反転したときに２つのコネクタがそれらのそれぞれのピンと接触するのを防止するという有利な効果も有する。これは、対称の面Ｐに直交し、かつ、タッチパッド装置の上面および下面に実質的に平行な面に関して、磁石の配置が対称ではないためである。反対の極が対称に配置された図１に示すタッチパッド装置のユーザインタフェース面１２５に平行な対称の平面がある場合、１つのコネクタを反転させても２つのコネクタ間の接続引力には影響しないであろう。対照的に、図４に示すように、磁石１１Ａおよび１２Ａは、磁石ペア１１Ｂおよび１２Ｂと同じ対称の平面（図示せず）を有する対称の相補的なペアを形成する。磁石１３Ａおよび１４Ａはまた、磁石ペア１３Ｂおよび１４Ｂと同じ対称の平面（図示せず）を有する対称の相補的なペアを形成する。しかしながら、ペア１１Ａ，１２Ａおよび１１Ｂ，１２Ｂの対称の平面は、ペア１３Ａ，１４Ａおよび１３Ｂ，１４Ｂの対称の平面とは異なる。この相違の結果は、反転した第２のコネクタが第１のコネクタを引き付けないことを意味する。
【００６３】
図４の磁石配置が反転され、かつ、同じレイアウトの非反転の磁石配置と近接して向き合うと、反転したコネクタからのＮ極１３Ａおよび１４Ｂは、それぞれ非反転のコネクタのＳ極１４Ａおよび１３Ｂと整列して引き寄せられ、そしてその逆も同様であろう。しかしながら、この向きでは、反転したコネクタのＳ極１２Ａは、非反転のコネクタのＳ極１２Ａと向かい合い、２つの１２ＢのＮ極についても同様であろう。よって、磁石の異なるペアの間の引力および反発力は相反し、コネクタは嵌合しないであろう。あるいは、反転したコネクタが非反転のコネクタに対して持ち上げられている場合、反転したコネクタのＳ極１２Ａおよび１１Ｂは、非反転のコネクタのＮ極１１Ａおよび１２Ｂをそれぞれ整列させて引き付け、逆もまた同様である。しかし、この向きでは、反転したコネクタのＳ極１３Ｂは、非反転のコネクタのＳ極１３Ｂに面し、２つのコネクタのそれぞれのＮ極１３Ａについても同様である。よって、この向きでは、磁石の異なるペアの引力および反発力は相反し、嵌合もしないであろう。水平な平面、すなわち装置が着座する面に平行な対称の平面がないので、コネクタは反転した磁石配置を有する第２のコネクタと嵌合しないであろう。これにより、最小限の試行錯誤で効果的な方法でコネクタ装置間を接続することによって、ユーザによる使いやすさが向上する。
【００６４】
１組のペア１３Ａ，１４Ａおよび１３Ｂ，１４Ｂの対称の平面が１つ以上の他の磁石を通るという事実によって、反転および非反転の間の嵌合を防止するための上記構成が改善される。図４の例では、この１３Ａ，１４Ａおよび１３Ｂ，１４Ｂの対称の平面は、磁石１２Ａおよび１２Ｂを通る。これは、コネクタが反転したとき、磁石１２Ａおよび１２Ｂは、反転したコネクタと非反転のコネクタとの間で位置を実質的に変えず、したがって、それらが近づいたとき互いに反発することを意味する。同様に、１１Ａ，１２Ａおよび１１Ｂ，１２Ｂの対称の平面は、磁石１３Ａおよび１３Ｂを通る。この結果、コネクタが１組のペアに関して対称の平面について反転されて相補的な極が互いに向き合うとき、少なくとも１つの他の磁石は、反転中に位置を変えず、したがって他のコネクタの対応する磁石を反発する。
【００６５】
垂直面Ｐについての対称性により、磁石の配置は、タッチパッド装置１００が実質的に平らな表面上で回転および移動されたときに他の装置の任意の側と接続できることを意味する。一方、水平面についての非対称性は、タッチパッド装置が同じ方向を上にして接続されている場合にのみ接続することを意味する。
【００６６】
磁石の数および位置はまた、ユーザがタッチパッド装置を一緒に接続するのを容易にするのに有益であり得る。これは、磁石が両側に加えて電気コンタクト配置の上下に配置されているためである。これは、磁石配置が２つのコネクタをより広い範囲の角度から一緒に案内するという結果をもたらす。例えば、ユーザがユーザの人差し指と親指との間にタッチパッド装置を保持し、そのタッチパッド装置を第２のタッチパッド装置の隣に置く場合、それは一般に、コネクタが傾斜した側面を有して、第２のタッチパッド装置に近づく。電気コンタクト配置の上方に磁石１１Ａおよび１１Ｂのような細長い磁石を有することによって、２つのタッチパッド装置の２つのコネクタ間に生じる力は、電気コンタクト配置の側面に位置する他の磁石よりも接続動作の早い段階で係合させるであろう。
【００６７】
上記の説明は特定の装置およびコネクタの配置を提供しているが、ここに開示された原理は様々な他の方法で実施することができる。
【００６８】
ジェンダーレスのコンタクト配置を提供するために、電気コンタクトは対称の平面の両側に対称的に配置されたペアで配置される。しかし、電気コンタクトの数に制限はない。図に関して６つの電気コンタクトが上述されているが、電気コンタクト配置は、より少ないまたはより多いものを含んでもよい。さらに、電気コンタクトは直線的に配置されているように記載されているが、代替的に、コンタクトは、それが対称性の基準を満たすならば、二次元アレイまたは任意の他のパターンで配置されてもよい。どの電気コンタクトが突出し、どの電気コンタクトが凹むかのパターンにも制限はない。したがって、上記の例ではピンが凹形ピンと突出ピンとの間で交互になっているが、代替の構成では異なるパターンがあってもよい。例えば、対称の平面の第１の側の全てのピンは凹形ピンであってもよく、したがって対称の平面の反対側の全ての対応するピンは突出ピンであってもよい。ピン自体は円筒形でなくてもよく、ペアのピンにおける各ピンの各形状がそのペアにおける他のピンの形状と対称であるという条件で、一般に任意の形状にできる。
【００６９】
ここに記載された電気コネクタが接続する、または、そこから接続する装置のサイズ、形状または寸法にも制限はない。
【００７０】
対称的に配置された電気コンタクトの各ペアは、そのペアにおける他方と同じ機能を有する。上述の例は、データの転送、電力の伝送、または、グランドの共有を行うための電気コンタクトである。電気コンタクトの機能は、これらの例に限定されず、警報信号、待機要求、パワーダウン要求などの機能を含み得る。特定の機能では、ペアは送信および受信のような異なる役割を持つ電気コンタクトで構成される。
【００７１】
コネクタ３００は、音楽を作成するためのタッチパッド装置の一部であるかまたはタッチパッド装置上に取り付けられるという文脈で上述されているが、同様に、コネクタは音楽を作成するための同じシステムの一部として他の異なる装置上にあってもよい。これらは、スピーカ装置、ユーザ入力面１２０ではなく入力ボタンを有するコントローラ装置、または、システムの一部であり得る任意の他の機能装置を含んでもよい。さらに、コネクタ３００は、音楽制作または音声処理用の装置に限定されず、１つ以上の他の装置との接続を必要とする任意の形態の電気装置に使用することができる。
【図１】
2019533887.tif 000003
【図２】
2019533887.tif 000004
【図３】
2019533887.tif 000005
【図４】
2019533887.tif 000006
【国際調査報告】
2019533887.tif 000007
2019533887.tif 000008